(57)【要約】【課題】  図柄表示装置を回転させることにより遊技者にインパクトを与えることが可能であり、しかも、図柄表示装置の回転中においても図柄表示が可能な遊技機を提供すること。【解決手段】  パチンコ機は、液晶式図柄表示装置４１及び図柄制御基板を備えている。液晶式図柄表示装置４１は遊技盤に対して回転可能に配置され、図柄制御基板３４は遊技盤側に固定される。図柄制御基板は、液晶式図柄表示装置４１を表示制御するための図柄信号などを電気経路６１を介して出力する。電気経路６１は、液晶式図柄表示装置４１の停止時、回転時にかかわらず、図柄信号などを図柄制御基板から液晶式図柄表示装置４１に送信可能となっている。【選択図】  図３
2005329085.tif 000002
【特許請求の範囲】
【請求項１】
遊技盤に対して回転可能に配置され、複数種類の図柄を変動または停止させて表示可能な図柄表示装置と、前記遊技盤あるいは前記遊技盤が固定される遊技機本体に固定配置され、前記図柄表示装置を表示制御するための制御信号を出力する図柄制御装置とを備えた遊技機であって、
少なくとも前記制御信号を前記図柄制御装置から回転中の前記図柄表示装置にも送信可能な電気経路を有することを特徴とする遊技機。
【請求項２】
前記電気経路上に、図柄制御装置側コネクタと、該図柄制御装置側コネクタに対して回転可能な図柄表示装置側コネクタとからなる連結部材を配置し、
前記図柄制御装置側コネクタが有する図柄制御装置側接点と、前記図柄表示装置側コネクタが有する図柄表示装置側接点とを、常時互いに接触するように対向配置した
ことを特徴とする請求項１に記載の遊技機。
【請求項３】
前記図柄表示装置の前側に、正面視で略矩形状をなす窓部を備えたセンター役物が配置され、
前記図柄表示装置が、正面視で前記窓部と略同一の形状をなし、前記センター役物に対して回転可能に配置されるとともに、
前記図柄表示装置の回転位置に応じて前記窓部を介して視認可能または視認不能となる補助演出装置が、前記図柄表示装置の後側に配置される
ことを特徴とする請求項１または２に記載の遊技機。
【請求項４】
前記補助演出装置が取付部を介して前記遊技盤または前記遊技盤が固定される遊技機本体に固定され、
前記補助演出装置の前側に位置する前記図柄表示装置の回転に伴って、前記補助演出装置が前記窓部を介して視認可能となる
ことを特徴とする請求項３に記載の遊技機。
【発明の詳細な説明】
【技術分野】
【０００１】
本発明は、図柄表示装置が回転可能な遊技機に関するものである。
【背景技術】
【０００２】
従来、遊技機の図柄表示装置では、主に図柄を用いた遊技演出が行われる。この図柄表示装置では、さらにキャラクタを登場させるなどの遊技演出を行うことにより、遊技機の興趣を高める努力がなされている。
【０００３】
しかし、図柄表示装置で遊技演出を行うのみでは、遊技者に与えるインパクトが弱い。そこで、図柄表示装置自体を回転（回動）させるものが提案されている（例えば、特許文献１参照）。
【特許文献１】特開平９−１９５５２号公報（図３９〜図４３）
【発明の開示】
【発明が解決しようとする課題】
【０００４】
ところで、近年の遊技機は、一般的に図柄表示装置及び図柄制御装置を備えており、図柄表示装置は図柄制御装置から出力された制御信号に基づいて制御されるようになっている。しかし、特許文献１では、回転時に制御信号を図柄制御装置から図柄表示装置に送る配線などの電気経路が具体的に開示されていない。即ち、図柄制御装置の回転と図柄表示装置による図柄表示とを、同時に行うことができるか否かは定かでない。仮に、回転と同時に図柄表示が行われないとすれば、図柄表示装置を回転させることでしか、遊技機の興趣を高めることができない。また、回転側である図柄表示装置と固定側である図柄制御装置との間を単純に配線でつないだとしても、図柄表示装置の回転に伴って配線が捩れ、断線などの不良を引き起こす可能性が高い。さらに、図柄表示装置の回転に支障を来たすことも予想される。
【０００５】
本発明は上記の課題に鑑みてなされたものであり、その目的は、図柄表示装置を回転させることにより遊技者にインパクトを与えることが可能であり、しかも、図柄表示装置の回転中においても図柄表示が可能な遊技機を提供することにある。
【課題を解決するための手段】
【０００６】
上記の課題を解決するために、請求項１に記載の発明は、遊技盤に対して回転可能に配置され、複数種類の図柄を変動または停止させて表示可能な図柄表示装置と、前記遊技盤あるいは前記遊技盤が固定される遊技機本体に固定配置され、前記図柄表示装置を表示制御するための制御信号を出力する図柄制御装置とを備えた遊技機であって、少なくとも前記制御信号を前記図柄制御装置から回転中の前記図柄表示装置にも送信可能な電気経路を有することを特徴とする遊技機をその要旨とする。
【０００７】
従って、請求項１に記載の発明によると、図柄表示装置が遊技盤に対して回転可能に配置されているため、図柄表示装置を回転させることにより遊技者にインパクトを与えることができる。しかも、図柄制御装置から図柄表示装置に制御信号を送る電気経路があるため、図柄表示装置の回転時においても制御信号を図柄表示装置に送ることができる。よって、図柄表示装置の回転と同時に、図柄表示装置での図柄表示を行うことができるため、図柄表示装置の回転と図柄表示装置での図柄表示との相乗効果により、遊技者にさらなるインパクトを与えることができる。
【０００８】
ここで、本発明において好適な図柄表示装置としては、液晶式、ドットマトリックス式、エレクトロルミネッセンス素子式、７セグメント式の電気式図柄表示装置などが挙げられるが、これらの中でも特に液晶式のものを用いることが好ましい。このようにすれば、図柄表示装置による複雑な演出が可能となる。
【０００９】
図柄表示装置の正面視での形状としては、長方形状、正方形状、円形状、楕円形状、三角形状などが挙げられるが、液晶式の図柄表示装置を用いる場合、一般的な液晶パネルの形状と同じ長方形状であることが好ましい。
【００１０】
なお、図柄表示装置は、遊技盤に固定したセンター役物に取り付けた結果、遊技盤に対して回転可能に配置されるものであってもよいし、センター役物を介さずに遊技盤に直接取り付けられて、遊技盤に対して回転可能に配置されるものであってもよい。
【００１１】
また、図柄表示装置は、任意の軸を中心として回転することが可能である。例えば、図柄表示装置は、遊技盤面に対して平行に延びる軸を中心として回転することが可能であるが、遊技盤面に対して垂直に延びる軸を中心として回転することが好ましい。このようにすれば、図柄表示装置にて行われる図柄表示を、遊技者に常時見せながら回転させることができる。
【００１２】
さらに、図柄表示装置の最大回転角度（最大回転回数）は、任意に設定することが可能である。図柄表示装置の最大回転角度としては、例えば、９０°（１／４回転）、１８０°（１／２回転）、３６０°（１回転）、７２０°（２回転）などが挙げられる。なお、図柄表示装置を、正面視で時計回り方向または反時計回り方向に回転させてもよいし、両方向に回転させてもよい。
【００１３】
前記電気経路は、図柄制御装置から図柄表示装置に前記制御信号を送るものであるが、制御信号以外の信号や電流（例えば、図柄表示装置の駆動用電流など）を送るものであってもよい。
【００１４】
請求項２に記載の発明は、請求項１において、前記電気経路上に、図柄制御装置側コネクタと、該図柄制御装置側コネクタに対して回転可能な図柄表示装置側コネクタとからなる連結部材を配置し、前記図柄制御装置側コネクタが有する図柄制御装置側接点と、前記図柄表示装置側コネクタが有する図柄表示装置側接点とを、常時互いに接触するように対向配置したことをその要旨とする。
【００１５】
従って、請求項２に記載の発明によると、図柄制御装置側接点と図柄表示装置側接点とが常時機械的に接触しているので、図柄表示装置が停止している場合はもちろん、回転しているときでも、電気経路は常時つながっている。そのため、制御信号などを図柄制御装置から図柄表示装置に確実に送ることができる。
【００１６】
ところで、図柄制御装置側コネクタ及び図柄表示装置側コネクタを用いずに図柄表示装置と図柄制御装置との間を単純に配線でつなぐ場合には、図柄表示装置が一方向に回転して配線が捩れると、図柄表示装置を逆方向に回転させて配線の捩れを戻す必要がある。例えば、リーチ演出時に図柄表示装置を一方向に回転させた場合には、ハズレ演出時などの別の機会において、前回とは逆方向（例えば、図柄表示装置を回転前の定位置に戻す方向）に図柄表示装置を回転させなければならない。仮に、図柄表示装置を定位置に戻さずに一方向に回転させ続けると、断線のおそれがあるからである。よって、具体的に言えば、１回目の回転演出時に図柄表示装置の回転方向を記憶しておき、２回目の回転演出を行う場合に、図柄表示装置を１回目とは逆方向に回転させる制御が必要となる。つまり、図柄制御装置側コネクタ及び図柄表示装置側コネクタを用いない場合には、回転演出に大きな制限が生じてしまう。
【００１７】
しかし、本発明によれば、図柄表示装置側コネクタが図柄制御装置側コネクタに対して回転可能に設けられているため、図柄表示装置が回転した場合に、図柄制御装置側コネクタに接続される配線や図柄表示装置側コネクタに接続される配線が捩れにくくなる。よって、図柄表示装置を同一方向に何回転でも回転させることができ、よりダイナミックな動きを実現することができる。ゆえに、遊技者に与えるインパクトがよりいっそう強くなる。
【００１８】
なお、図柄表示装置を回転させる上で回転運動の度合いが最も小さい回転中心近傍に前記連結部材を設けることが好ましい。このようにすれば、連結部材に接続される配線の捩れを極力抑えることができる。
【００１９】
ここで、前記図柄表示装置側コネクタを前記図柄表示装置の回転軸部に設けかつ、前記図柄制御装置側コネクタに近接して配置し、回転軸部の回転軸線を、図柄表示装置の重心位置を通過するように設定することが好ましい。このようにすれば、重心バランスが安定した状態で図柄表示装置を回転させることができる。よって、回転時に生じる重心のバラツキにより回転軸部に必要以上の負担をかけることもない。なお、回転軸部の回転軸線は、図柄表示装置の重心位置から偏心した位置を通過するように設定されていてもよい。
【００２０】
また、図柄制御装置側コネクタ及び図柄表示装置側コネクタとしては、図柄制御装置側接点の表面と図柄表示装置側接点の表面とが互いに摺動しながら電気的に接続される構造が挙げられる。なお、図柄表示装置側接点から図柄制御装置側接点、または、図柄制御装置側接点から図柄表示装置側接点への付勢を施すようにすれば、両者をより確実に接触させることができる。
【００２１】
なお、図柄制御装置側接点が図柄制御装置側コネクタに複数配置され、図柄表示装置側接点が図柄表示装置側コネクタに複数配置される場合、各図柄制御装置側接点及び各図柄表示装置側接点を、図柄表示装置の回転中心の周りに同心円状に配置してもよい。また、各図柄制御装置側接点または各図柄表示装置側接点を、回転中心からの距離がそれぞれ異なるように配置してもよい。なお、各図柄制御装置側接点または各図柄表示装置側接点を、回転中心から外側に向けて一直線上に配置してもよいが、回転中心の周りに分散して（例えば螺旋状に）配置することが好ましい。このようにすれば、図柄表示装置側コネクタの回転バランスが良くなるからである。
【００２２】
請求項３に記載の発明は、請求項１または２において、前記図柄表示装置の前側に、正面視で略矩形状をなす窓部を備えたセンター役物が配置され、前記図柄表示装置が、正面視で前記窓部と略同一の形状をなし、前記センター役物に対して回転可能に配置されるとともに、前記図柄表示装置の回転位置に応じて前記窓部を介して視認可能または視認不能となる補助演出装置が、前記図柄表示装置の後側に配置されることをその要旨とする。
【００２３】
従って、請求項３に記載の発明によると、図柄表示装置の回転位置に応じて、窓部を介して補助演出装置による補助演出が視認可能または視認不能となる。よって、補助演出装置による演出に希少性を付与することができるため、図柄表示装置の回転時に補助演出の出現を遊技者に期待させることができる。
【００２４】
また、結果的に、図柄表示装置の回転時に窓部を介して見える部分に補助演出装置を配置することになるので、補助演出装置は、視認可能時には補助演出装置の後側の空間の目隠しとしても機能する。従って、遊技機の内部構造（基板など）が遊技者に見えてしまうようなことがなく、意匠性の低下を防止することができる。
【００２５】
補助演出装置としては、発光体、絵、写真、フィギュアなどを配置したものが挙げられるが、発光体を配置したものが好ましく、特には、コンパクトで省電力の発光ダイオードを配置したものが好ましい。
【００２６】
補助演出装置の正面視での形状としては、長方形状、正方形状、円形状、楕円形状、三角形状などが挙げられるが、図柄表示装置の形状と同じ長方形状であることが好ましい。このようにすれば、補助演出装置を図柄表示装置によって完全に隠すことができる。ゆえに、何も存在しないと思っていた図柄表示装置の後側に突然補助演出装置が出現することにより、遊技者に意外性を与えることができる。よって、遊技機の興趣の向上を図ることができる。また、図柄表示装置の回転位置に応じて、補助演出装置の角部が窓部を介して確実に視認可能となる。
【００２７】
また、補助演出装置は、図柄表示装置の後側において遊技機に搭載可能な任意の位置、大きさに設定することが可能である。好ましくは、窓部内に入る大きさで、図柄表示装置の回転時に補助演出装置の角部が視認可能となる位置に配置されていることがよい。
【００２８】
請求項４に記載の発明は、請求項３において、前記補助演出装置が取付部を介して前記遊技盤または前記遊技盤が固定される遊技機本体に固定され、前記補助演出装置の前側に位置する前記図柄表示装置の回転に伴って、前記補助演出装置が前記窓部を介して視認可能となることをその要旨とする。
【００２９】
例えば、補助演出装置を回転させるようにした場合、補助演出装置と遊技機側とを電気的に接続する配線などの経路に、同経路の捩れを防止する連結部材などを設ける必要がある。しかし、請求項４に記載の発明によると、補助演出装置が遊技盤またはセンター役物に固定されているため、前記経路に補助演出装置を回転させるための連結部材などを設けたりする必要がなくなる。よって、配線を簡易化することができ、遊技機を低コストで構成することができる。
【発明の効果】
【００３０】
以上詳述したように、請求項１〜４に記載の発明によれば、図柄表示装置を回転させることにより遊技者にインパクトを与えることが可能であり、しかも、図柄表示装置の回転中においても図柄表示が可能となる。
【００３１】
特に、請求項３に記載の発明によれば、補助演出装置による演出に希少性を付与することができるため、図柄表示装置の回転時に補助演出の出現を遊技者に期待させることができる。
【発明を実施するための最良の形態】
【００３２】
以下、本発明をパチンコ遊技機（以下、「パチンコ機」という）に具体化した一実施形態を図１〜図１０に基づき説明する。
【００３３】
図１には、パチンコ機１０の機表側が略示されている。機体の外郭をなす外枠１１の開口前面側には、各種の遊技機用構成部材をセットする縦長方形の前枠１２が開閉及び着脱自在に組み付けられている。また、前枠１２の前面側には、機内部に配置された遊技盤１３を透視保護するためのガラス枠を備えたガラス保持枠１４と、上球皿１５ａを有する上皿ユニット１５とが、ともに横開き状態で開閉可能に組み付けられている。
【００３４】
前記ガラス保持枠１４の上部前面には枠ランプ１６ａが設けられ、遊技盤１３の遊技領域１３ａには盤面ランプ１６ｂが設けられている。枠ランプ１６ａ及び盤面ランプ１６ｂは、各種遊技の演出状態（大当り、リーチなど）に応じて点灯（点滅）・消灯などの発光装飾による演出を行うようになっている。また、外枠１１下部の両側部には、前記遊技の状態に応じて各種音声（効果音など）を出力するスピーカ１７が設けられている。また、前枠１２の下部には、下球皿１８及び操作手段１９などを有する下皿ユニット２０が装着されている。
【００３５】
図１，図２に示されるように、遊技盤１３の遊技領域１３ａの略中央部には、正面視で略長方形状の窓部２２を有する枠状の大型装飾部材２１（センター役物）が装着されている。大型装飾部材２１の奥側には、液晶式図柄表示装置４１（図柄表示装置）が、遊技盤１３及び大型装飾部材２１に対して回転可能に配設されている。この液晶式図柄表示装置４１では、変動画像（または画像表示）に基づく遊技演出が行われるようになっている。そして、液晶式図柄表示装置４１では、表示演出に関連して、複数種類の図柄を複数列で変動または停止させて図柄組み合わせを導出させる図柄組み合わせゲームが行われる。具体的には、複数種類の図柄が左、右、中の３列で変動し、左→右→中の順番で停止するようになっている。また、液晶式図柄表示装置４１では、表示画面上に魚や船などのキャラクタを登場させるといったバーチャルな演出が行われる（図７〜図１０参照）。なお、液晶式図柄表示装置４１は、正面視で略長方形状をなしており、窓部２２と略同一の形状・大きさとなっている。また、液晶式図柄表示装置４１が有する一対の長辺部分が水平となり、一対の短辺部分が鉛直となる定常状態にある場合、液晶式図柄表示装置４１の前面全体が窓部２２から露出して視認可能となる（図７参照）。
【００３６】
図２に示されるように、遊技盤１３の裏側には、支持フレーム５０が取り付けられている。支持フレーム５０には図柄制御基板３４（図柄制御装置）が支持されている。図柄制御基板３４には、制御装置側中継基板４５がハーネス（図示略）を介して電気的に接続されている。図柄制御基板３４は、液晶式図柄表示装置４１を表示制御するとともに、後記する補助演出装置４３を制御するための図柄信号（制御信号）を、制御装置側中継基板４５を介して出力する。一方、液晶式図柄表示装置４１は、ハーネス６７，６８及び連結コネクタ６４（図３参照）を介して制御装置側中継基板４５に電気的に接続されている。
【００３７】
また、支持フレーム５０には、液晶式図柄表示装置４１を回転させるための駆動源となるモータ５１が固定されている。モータ５１の回転軸５２は、カップリング（図示略）を介して液晶式図柄表示装置４１の回転軸部４２に連結されている。回転軸部４２は、液晶式図柄表示装置４１が収容された図示しないケース（ブラケット）に一体形成されるとともに、支持フレーム５０に突設された軸受部５３によって下方側から支持されている。即ち、液晶式図柄表示装置４１などは、回転軸５２及び軸受部５３により２箇所で支持されている。なお、モータ５１の回転軸５２は、歯車などを介して回転軸部４２を駆動させるものであってもよい。
【００３８】
図２，図７〜図１０に示されるように、液晶式図柄表示装置４１の後側には、同液晶式図柄表示装置４１による演出を補助するための補助演出装置４３が設けられている。補助演出装置４３は、正面視で略長方形状の外形をなしており、液晶式図柄表示装置４１と略同一の外形・大きさとなっている。補助演出装置４３は、支持フレーム５０に設けられた装置取付部５５（取付部）に固定されているため、液晶式図柄表示装置４１と一体に回転することはない。また、補助演出装置４３の中央部には、回転軸部４２及びハーネス６８を通すための貫通孔４９が設けられている。貫通孔４９の内径は、回転軸部４２及びハーネス６８が挿通可能な大きさになっている。なお、液晶式図柄表示装置４１の回転軸部４２の回転軸線Ｃは、液晶式図柄表示装置４１の重心位置Ｏを通過するように設定されている。また、補助演出装置４３は演出装置本体４７を備え、演出装置本体４７の前面には複数個の発光ダイオード４６が設けられている。各発光ダイオード４６は、演出装置本体４７の４つの角部４８周辺にそれぞれ複数個ずつ配置されている。よって、補助演出装置４３によって行われる演出は、発光ダイオード４６を点灯（または点滅）させる演出であるため、液晶式図柄表示装置４１によって行われる演出とは内容が異なっている。
【００３９】
図７，図８に示されるように、補助演出装置４３は、液晶式図柄表示装置４１が定常状態にある場合に液晶式図柄表示装置４１の真裏側に位置するため、前記窓部２２を介して視認不能となっている。補助演出装置４３は、液晶式図柄表示装置４１の回転位置に応じて、窓部２２を介して視認可能となる。例えば、液晶式図柄表示装置４１が反時計回り方向に３０°回転した場合、補助演出装置４３の各角部４８が窓部２２から露出して視認可能となる。
【００４０】
図９，図１０に示されるように、補助演出装置４３の長辺の長さＬ１は液晶式図柄表示装置４１の長辺の長さＬ３と同一に設定され、補助演出装置４３の短辺の長さＬ２は、液晶式図柄表示装置４１の短辺の長さＬ４と同一に設定されている。よって、補助演出装置４３が大きすぎるために、補助演出装置４３が他の部材（支持フレーム５０など）に干渉して配置できなくなる、といった問題が解消される。また、補助演出装置４３が小さすぎるために、液晶式図柄表示装置４１が例えば定常状態から３０°回転した場合（図８参照）に、液晶式図柄表示装置４１及び補助演出装置４３の後側にある部材（例えば、連結コネクタ６４など）が窓部２２を介して露出してしまう、といった問題が解消される。このとき、演出装置本体４７の各角部４８に配置された前記発光ダイオード４６が窓部２２を介して露出する。
【００４１】
図３に示されるように、前記制御装置側中継基板４５及び液晶式図柄表示装置４１は、電気経路６１によって接続されている。電気経路６１は、液晶式図柄表示装置４１の停止時、回転時にかかわらず、前記図柄制御基板３４から液晶式図柄表示装置４１に前記図柄信号などを送信可能となっている。電気経路６１は、液晶式図柄表示装置４１の回転中心近傍に配置されている。一方、制御装置側中継基板４５及び補助演出装置４３は、電気経路６１とは別々に設けられた補助演出用ハーネス７０によって接続されている。補助演出用ハーネス７０は、基端側が制御装置側中継基板４５に接続され、先端側が前記装置取付部５５内を通って補助演出装置４３に接続されている。補助演出用ハーネス７０は、図柄制御基板３４から補助演出装置４３に図柄信号などを送信可能となっている。なお、補助演出装置４３は、前記支持フレーム５０に設けられた前記装置取付部５５に固定されている。
【００４２】
また、電気経路６１上には、固定側コネクタ６２（図柄制御装置側コネクタ）と、回転側コネクタ６３（図柄表示装置側コネクタ）とからなる前記連結コネクタ６４（連結部材）が配置されている。連結コネクタ６４は、略円盤状をなしており、その中心部には液晶式図柄表示装置４１の前記回転軸部４２が挿通されるようになっている。即ち、連結コネクタ６４は、液晶式図柄表示装置４１の回転中心近傍に配置されている。固定側コネクタ６２は前記ハーネス６７を介して制御装置側中継基板４５に電気的に接続され、回転側コネクタ６３は前記ハーネス６８を介して液晶式図柄表示装置４１に電気的に接続されている。図２に示されるように、固定側コネクタ６２及び回転側コネクタ６３はケーシング（図示略）内に収容され、同ケーシングは前記支持フレーム５０に設けられたコネクタ支持部５４に固定されている。固定側コネクタ６２は、ケーシング内に固定されているため、回転不能になっている。一方、回転側コネクタ６３は、ケーシング内にて固定側コネクタ６２に近接して配置され、固定側コネクタ６２に対して回転可能になっている。回転側コネクタ６３は、液晶式図柄表示装置４１の回転軸部４２の端部に取付金具（図示略）を介して固定されている。なお、回転軸部４２は筒状をなしており、その回転軸部４２内にはハーネス６８が通っている。ハーネス６８の一端は液晶式図柄表示装置４１に接続されるとともに、ハーネス６８の他端は回転側コネクタ６３に接続されている。
【００４３】
図４に示されるように、固定側コネクタ６２の固定側接触面６２ａには複数の固定側接点６５（図柄制御装置側接点）が配置されている。各固定側接点６５は、液晶式図柄表示装置４１の回転中心の周りに同心円状に配置されたリング状の金属板である。各固定側接点６５は、ハーネス６７を構成する電線にそれぞれ電気的に接続されている。一方、図５に示されるように、回転側コネクタ６３の回転側接触面６３ａには複数の回転側接点６６（図柄表示装置側接点）が配置されている。各回転側接点６６は、液晶式図柄表示装置４１の回転中心の周りに同心円状かつ螺旋状に配置された金属凸部である。各回転側接点６６は等角度間隔（本実施形態では４５°間隔）に配置されている。各回転側接点６６は、ハーネス６８を構成する電線にそれぞれ電気的に接続されている。固定側接点６５及び回転側接点６６は、互いに同数配置されており、停止時のみならず回転時においても、常時互いに接触するように対向配置されている。固定側接点６５及び回転側接点６６には、液晶式図柄表示装置４１に赤色、緑色、青色を表示させる信号、液晶式図柄表示装置４１に供給される電源などが流れるようになっている。また、一対の固定側接点６５及び回転側接点６６は、グランドに接続されている。
【００４４】
次に、パチンコ機１０の電気的な構成について説明する。
【００４５】
図６に示されるように、このパチンコ機１０は、主制御基板３１、音声制御基板３２、ランプ制御基板３３及び前記図柄制御基板３４を備えている。主制御基板３１には、音声制御基板３２、ランプ制御基板３３及び図柄制御基板３４がそれぞれ接続されている。音声制御基板３２、ランプ制御基板３３及び図柄制御基板３４には、主制御基板３１から出力された制御信号が入力されるようになっている。
【００４６】
主制御基板３１はメインＣＰＵ３１ａを備えており、メインＣＰＵ３１ａにはＲＯＭ３１ｂ及びＲＡＭ３１ｃが接続されている。メインＣＰＵ３１ａは、大当り判定用乱数、図柄決定用乱数、変動パターン決定用乱数などの各種乱数の値を所定の周期（例えば４ｍｓ）ごとに順次更新するようになっている。メインＣＰＵ３１ａは、更新後の各種乱数の値をＲＡＭ３１ｃにおける所定の領域に設定し、更新前の値を書き換えることにより各種乱数の値を更新している。ＲＯＭ３１ｂには、パチンコ機１０を制御するための制御プログラムなどが記憶されている。ＲＡＭ３１ｃには、パチンコ機１０の動作中に適宜書き換えられる各種の情報（各種乱数の値など）が一時的に記憶されるようになっている。
【００４７】
図６に示されるメインＣＰＵ３１ａは、大当り判定用乱数（大当りか否かを判定するための乱数）及び図柄決定用乱数（大当り時の図柄を決定するための乱数）に基づいて、前記液晶式図柄表示装置４１による図柄変動を付与するようになっている。具体的には、メインＣＰＵ３１ａは、図柄変動開始時に、変動パターンなどの図柄変動に関する信号を、前記図柄制御基板３４に対して出力するようになっている。図柄変動の結果、図柄が確定停止して大当りの表示結果となると、大入賞口の開放によって多数の遊技球（賞球）を獲得する権利が付与される。
【００４８】
図６に示されるように、前記音声制御基板３２はサブＣＰＵ３２ａを備えており、サブＣＰＵ３２ａにはＲＯＭ３２ｂ及びＲＡＭ３２ｃが接続されている。ＲＯＭ３２ｂには、各種の制御プログラム、複数種類の音声演出用の演出実行データなどが記憶されている。ＲＡＭ３２ｃには、パチンコ機１０の動作中に適宜書き換えられる各種の情報が一時的に記憶（設定）されるようになっている。前記音声演出用の演出実行データとは、サブＣＰＵ３２ａが、前記スピーカ１７の音声出力態様（効果音の種類、音声言語の種類、音声出力時間など）を制御するための情報である。
【００４９】
そして、前記メインＣＰＵ３１ａから変動パターンを示す信号が入力されると、サブＣＰＵ３２ａは、それに対応する音声演出用の演出実行データに基づいて音声制御を実行するようになっている。より詳しくは、サブＣＰＵ３２ａは、音声演出用の演出実行データを音声信号に変換し、スピーカ１７に出力するようになっている。その結果、スピーカ１７は、音声信号に基づき所定の報知動作（音声の出力）を行うようになっている。
【００５０】
図６に示されるように、前記ランプ制御基板３３は、サブＣＰＵ３３ａ、ＲＯＭ３３ｂ及びＲＡＭ３３ｃを備えている。ＲＯＭ３３ｂには、複数種類の発光演出用の演出実行データが記憶されている。ＲＡＭ３３ｃには、パチンコ機１０の動作中に適宜書き換えられる各種の情報が一時的に記憶（設定）されるようになっている。
【００５１】
そして、前記メインＣＰＵ３１ａから変動パターンを示す信号が入力されると、サブＣＰＵ３３ａは、それに対応する発光演出用の演出実行データを選択し、その選択した演出実行データに基づいて所定の発光制御を実行するようになっている。より詳しくは、サブＣＰＵ３３ａは、選択した発光演出用の演出実行データを発光制御信号に変換し、前記枠ランプ１６ａ及び前記盤面ランプ１６ｂに出力する。その結果、枠ランプ１６ａは、発光制御信号に基づき所定の報知動作（点滅）を行い、盤面ランプ１６ｂは、発光制御信号に基づき所定の報知動作（点滅）を行うようになっている。
【００５２】
前記図柄制御基板３４はサブＣＰＵ３４ａを備えており、このサブＣＰＵ３４ａにはＲＯＭ３４ｂ及びＲＡＭ３４ｃが接続されている。ＲＯＭ３４ｂには、複数種類の表示演出用の演出実行データや各種の画像情報（図柄の画像情報、背景画像、文字画像、登場キャラクタの画像など）が記憶されている。ＲＡＭ３４ｃには、パチンコ機１０の動作中に適宜書き換えられる各種の情報が一時的に記憶（設定）されるようになっている。前記表示演出用の演出実行データとは、サブＣＰＵ３４ａが、前記液晶式図柄表示装置４１の表示内容（図柄変動、キャラクタの動作など）、前記モータ５１の回転、前記補助演出装置４３の発光ダイオード４６の点灯（点滅）を制御するための情報である。
【００５３】
そして、前記メインＣＰＵ３１ａから前記変動パターンを示す信号が入力されると、サブＣＰＵ３４ａは、それに対応する表示演出用の演出実行データに基づいて液晶式図柄表示装置４１による図柄変動を開始させるようになっている。より詳しくは、サブＣＰＵ３４ａは、表示演出用の演出実行データを図柄信号（制御信号）に変換し、液晶式図柄表示装置４１に出力するようになっている。その結果、液晶式図柄表示装置４１は、図柄信号に基づき複数の図柄の変動を開始するようになっている。図７〜図１０に示されるように、本実施形態では、左列及び右列を同一種類の図柄で確定停止させた状態で、中列の図柄が変動するリーチ（「７，↓，７」（↓は変動中を示す）など）が発生すると、サブＣＰＵ３４ａは、一定時間モータ５１を駆動させて液晶式図柄表示装置４１を回転させるようになっている。それとともに、サブＣＰＵ３４ａは、補助演出装置４３の発光ダイオード４６を点灯（点滅）させるようになっている。なお、液晶式図柄表示装置４１が回転した場合、液晶式図柄表示装置４１が回転しない場合よりも大当りとなる信頼度が高くなる。つまり、大当り演出における回転演出の出現率のほうが、ハズレ演出における回転演出の出現率よりも高くなっている。即ち、液晶式図柄表示装置４１の回転演出は、いわゆる大当り予告手段として用いられている。なお、液晶式図柄表示装置４１の回転数や回転速度の違いに応じて、大当りとなる信頼度が変化するようにしてもよい。
【００５４】
次に、液晶式図柄表示装置４１及び補助演出装置４３にて実行される演出について説明する。
【００５５】
図７，図９に示されるように、液晶式図柄表示装置４１が定常状態にある場合に遊技球の入賞があると、液晶式図柄表示装置４１による図柄変動が開始される。このとき、補助演出装置４３の前面全体が液晶式図柄表示装置４１によって覆い隠されるため、遊技者は、補助演出装置４３の存在を確認できないようになっている。
【００５６】
ここで、左列及び右列を同一種類の図柄で確定停止させた状態で、中列の図柄が変動するリーチが発生すると、サブＣＰＵ３４ａがモータ５１を駆動させることにより、液晶式図柄表示装置４１が反時計回り方向に連続して複数回回転する。従って、液晶式図柄表示装置４１にて行われるリーチ演出を、遊技者に常時見せながら回転させることができるため、遊技者にインパクトを与えることができる。また、補助演出装置４３の各発光ダイオード４６の点灯（点滅）が開始され、補助演出装置４３による補助演出が開始される。
【００５７】
例えば、液晶式図柄表示装置４１が定常状態から反時計回り方向に３０°回転した場合、液晶式図柄表示装置４１の一部が大型装飾部材２１の窓部２２を介して視認不能な領域（大型装飾部材２１の真裏側）に移動するとともに、補助演出装置４３の各角部４８が窓部２２を介して視認可能な領域に移動する。その結果、補助演出装置４３が窓部２２を介して視認可能となる（図８参照）。この状態において、各発光ダイオード４６は点灯（点滅）し続けているため、遊技者は、補助演出装置４３にて行われる補助演出を視認可能となる。
【００５８】
その後、液晶式図柄表示装置４１にて行われていたリーチ演出が終了すると同時に、サブＣＰＵ３４ａは、液晶式図柄表示装置４１が定常状態となる位置でモータ５１を停止させる。即ち、液晶式図柄表示装置４１の回転時間は、リーチ演出の演出時間と略等しくなっている。また、サブＣＰＵ３４ａは、モータ５１の停止とともに各発光ダイオード４６の点灯（点滅）を終了させる。これにより、補助演出装置４３にて行われる補助演出が終了する。即ち、補助演出の演出時間は、リーチ演出の演出時間と略等しくなっている。
【００５９】
従って、本実施形態によれば以下のような効果を得ることができる。
【００６０】
（１）本実施形態のパチンコ機１０によれば、液晶式図柄表示装置４１が遊技盤１３に対して回転可能に配置されているため、液晶式図柄表示装置４１を回転させることにより遊技者にインパクトを与えることができる。しかも、図柄制御基板３４から液晶式図柄表示装置４１に図柄信号を送る電気経路６１があるため、液晶式図柄表示装置４１の回転時においても図柄信号を液晶式図柄表示装置４１に送ることができる。よって、液晶式図柄表示装置４１の回転と同時に、液晶式図柄表示装置４１での図柄表示を行うことができるため、液晶式図柄表示装置４１の回転と液晶式図柄表示装置４１での図柄表示との相乗効果により、遊技者にさらなるインパクトを与えることができる。
【００６１】
（２）本実施形態では、補助演出装置４３が、液晶式図柄表示装置４１の真裏側に隠れているときには、補助演出装置４３が視認不能であるが、液晶式図柄表示装置４１の一部が大型装飾部材２１の真裏側に移動すると、補助演出装置４３による補助演出が視認可能となる。よって、補助演出装置４３による演出に希少性を付与することができるため、液晶式図柄表示装置４１の回転時に補助演出の出現を遊技者に期待させることができる。さらに、通常の遊技中（定常状態）に視認できない補助演出装置４３が窓部２２内に突然出現することにより、遊技者に意外性を与えることができる。よって、パチンコ機１０の興趣の向上を図ることができる。
【００６２】
また、結果的に、液晶式図柄表示装置４１の回転時に窓部２２を介して見える部分に補助演出装置４３を配置することになるので、補助演出装置４３は、視認可能時には補助演出装置４３の後側の空間の目隠しとしても機能する。従って、パチンコ機１０の内部構造（基板など）が遊技者に見えてしまうようなことがなく、意匠性の低下を防止することができる。
【００６３】
（３）本実施形態では、補助演出装置４３が、装置取付部５５及び支持フレーム５０を介して遊技盤１３に固定されている。よって、仮に補助演出装置４３を液晶式図柄表示装置４１と一体に回転させる場合に比べて、回転部分が軽量化されるため、回転時に必要な電力を低減できるとともに、回転軸部４２などにかかる負担を軽減できる。また、ハーネス６８を介して図柄信号などを補助演出装置４３に送る必要がないため、ハーネス６８を構成する電線の本数を減らすことができる。さらに、補助演出装置４３は動かないため、補助演出装置４３の後側の空間を確実に目隠しすることができる。
【００６４】
（４）本実施形態の液晶式図柄表示装置４１では、表示画面上に魚や船などのキャラクタを登場させるといったバーチャルな演出が行われ、補助演出装置４３では、発光ダイオード４６を点灯（または点滅）させるという実体的な演出が行われる。即ち、液晶式図柄表示装置４１及び補助演出装置４３にて行われる演出は、互いに異なっている。よって、液晶式図柄表示装置４１と同様のバーチャルな演出を補助演出装置４３にて行う場合よりも、遊技者に強いインパクトを与えることができるため、パチンコ機１０の興趣をよりいっそう高めることができる。また、補助演出装置４３に安価な発光ダイオード４６が用いられているため、補助演出装置４３を安価に製作することができる。
【００６５】
（５）本実施形態では、連結コネクタ６４の固定側接点６５と回転側接点６６とが機械的に接触可能となっている。そのため、図柄信号などを図柄制御基板３４から液晶式図柄表示装置４１に確実に送ることができ、しかも連結コネクタ６４を安価に製作することができる。
【００６６】
（６）本実施形態では、回転側コネクタ６３が固定側コネクタ６２に対して回転可能に設けられている。このため、液晶式図柄表示装置４１が回転した場合に、固定側コネクタ６２に接続されるハーネス６７や回転側コネクタ６３に接続されるハーネス６８が捩れることがない。よって、回転演出に制限がなくなり、液晶式図柄表示装置４１を同一方向に何回転でも回転させることができるため、よりダイナミックな動きを実現することができる。ゆえに、遊技者に与えるインパクトがよりいっそう強くなる。
【００６７】
（７）本実施形態では、図柄制御基板３４のサブＣＰＵ３４ａが、液晶式図柄表示装置４１の表示内容（図柄変動、キャラクタの動作など）を制御するのに加え、モータ５１の回転、補助演出装置４３の発光ダイオード４６の点灯（または点滅）も制御するようになっている。即ち、液晶式図柄表示装置４１及び補助演出装置４３が、同じ制御装置によって制御されている。よって、液晶式図柄表示装置４１を回転させるタイミングや、補助演出装置４３での演出を開始させるタイミングを、液晶式図柄表示装置４１にて行われる演出に同期させることが容易になる。また、モータ５１や発光ダイオード４６の制御内容を変更したい場合には、図柄制御基板３４のみを交換すれば済むため、メインテナンスが容易になる。
【００６８】
なお、本発明の実施形態は以下のように変更してもよい。
【００６９】
・上記実施形態では、左列及び右列を同一種類の図柄で確定停止させた状態で、中列の図柄が変動するリーチが発生したときに、液晶式図柄表示装置４１が回転するようになっていた。しかし、液晶式図柄表示装置４１が回転するタイミングを変更してもよい。例えば、液晶式図柄表示装置４１に表示される各図柄が大当りの表示結果（「７，７，７」）で確定停止したときに、液晶式図柄表示装置４１が回転するようにしてもよい。
【００７０】
・上記実施形態では、左列及び右列を同一種類の図柄で確定停止させた状態で、中列の図柄が変動するリーチが発生したときに、液晶式図柄表示装置４１が回転するようになっていた。しかし、再抽選（各図柄を仮停止させた後、再び各図柄を変動させて確定停止させること）において、液晶式図柄表示装置４１が回転するようにしてもよい。
【００７１】
・上記実施形態では、液晶式図柄表示装置４１の回転軸部４２の回転軸線Ｃが、液晶式図柄表示装置４１の重心位置Ｏを通過するように設定されていた。しかし、回転軸部４２の回転軸線Ｃが、前記重心位置Ｏから偏心した位置を通過するように設定されていてもよい。このようにすれば、窓部２２を介して視認不能な領域（大型装飾部材２１の真裏側）に、液晶式図柄表示装置４１の大部分を移動させることができる。よって、液晶式図柄表示装置４１の後側にある補助演出装置４３を視認しやすくなる。
【００７２】
・上記実施形態では、電気経路６１上に、固定側コネクタ６２と、固定側コネクタ６２に対して回転可能な回転側コネクタ６３とからなる連結コネクタ６４を配置していた。しかし、回転側コネクタ６３を、固定側コネクタ６２に対して回転不能なものに変更してもよい。また、連結コネクタ６４そのものを省略し、電気経路６１を液晶式図柄表示装置４１の回転中心近傍に配置するようにしてもよい。これらの場合、液晶式図柄表示装置４１が回転すると、当然ハーネス６７，６８は捩れる。しかし、ハーネス６７，６８を長く設定することで、液晶式図柄表示装置４１を同一方向に所定回回転させることができる。
【００７３】
・上記実施形態では、各固定側接点６５が、液晶式図柄表示装置４１の回転中心の周りに同心円状かつリング状に配置され、各回転側接点６６が、液晶式図柄表示装置４１の回転中心の周りに螺旋状に配置されていた。しかし、各回転側接点６６が、液晶式図柄表示装置４１の回転中心の周りに同心円状かつリング状に配置され、各固定側接点６５が、液晶式図柄表示装置４１の回転中心の周りに螺旋状に配置されてもよい。また、各固定側接点６５及び各回転側接点６６の両方が、液晶式図柄表示装置４１の回転中心の周りに同心円状かつリング状に配置されていてもよい。
【００７４】
・上記実施形態において、回転側コネクタ６３の回転側接点６６に、固定側コネクタ６２の固定側接点６５側への付勢を施すようにしてもよい。逆に、固定側接点６５に回転側接点６６側への付勢を施すようにしてもよい。このようにすれば、固定側コネクタ６２及び回転側コネクタ６３をより確実に接触させることができる。よって、図柄信号などを、図柄制御基板３４から液晶式図柄表示装置４１により確実に送ることができる。
【００７５】
・上記実施形態では、モータ５１の回転軸５２は、液晶式図柄表示装置４１の回転軸部４２と同軸上に配置され、回転軸部４２を直接駆動させるものであった。しかし、回転軸５２は、駆動連結手段を介して回転軸部４２を駆動させるものであってもよい。例えば、図１１，図１２に示されるように、モータ５１の回転軸５２は、タイミングベルト７１を介して液晶式図柄表示装置４１の回転軸部４２を駆動させるものであってもよい。また、回転軸５２は、歯車を介して回転軸部４２を駆動させるものであってもよい。このようにすれば、モータ５１の配置の自由度が大きくなる。
【００７６】
・上記実施形態では、図柄制御基板３４は、支持フレーム５０を介して遊技盤１３に固定されていた。しかし、図柄制御基板３４は、遊技盤１３が固定される遊技機本体（例えば、外枠１１、前枠１２など）や、前枠１２の裏側に設置されるセット盤などに固定されていてもよい。
【００７７】
・上記実施形態では、補助演出装置４３は、装置取付部５５及び支持フレーム５０を介して遊技盤１３に固定されていた。しかし、補助演出装置４３は、装置取付部５５を介して大型装飾部材２１に固定されていてもよい。また、補助演出装置４３は、遊技盤１３の裏側に導かれた遊技球を誘導する裏樋や、前枠１２（遊技機本体）の裏側に設置されるセット盤などに固定されていてもよい。
【００７８】
次に、特許請求の範囲に記載された技術的思想のほかに、前述した実施形態によって把握される技術的思想を以下に列挙する。
【００７９】
（１）請求項１乃至４のいずれか１項において、前記図柄表示装置の回転軸部の回転軸線が、前記図柄表示装置の重心位置を通過するようにしたこと。このようにすれば、重心バランスが安定した状態で図柄表示装置を回転させることができる。よって、回転時に生じる重心のバラツキにより回転軸部に必要以上の負担をかけることもない。
【００８０】
（２）請求項１乃至４のいずれか１項において、前記図柄表示装置の回転軸部の回転軸線が、前記図柄表示装置の重心位置から偏心した位置を通過するようにしたこと。
【００８１】
（３）請求項２において、前記図柄制御装置側接点を前記図柄制御装置側コネクタに複数配置し、前記図柄表示装置側接点を前記図柄表示装置側コネクタに複数配置したこと。
【００８２】
（４）技術的思想（３）において、前記各図柄制御装置側接点及び前記各図柄表示装置側接点を、前記図柄表示装置の回転中心の周りに同心円状に配置したこと。
【００８３】
（５）技術的思想（３）において、前記各図柄制御装置側接点または前記各図柄表示装置側接点を、前記図柄表示装置の回転中心の周りに螺旋状に配置したこと。
【００８４】
（６）技術的思想（５）において、前記各図柄制御装置側接点または前記各図柄表示装置側接点を、等角度間隔に配置したこと。
【００８５】
（７）請求項３または４において、前記図柄表示装置及び前記補助演出装置は、同じ制御装置によって制御されること。
【００８６】
（８）請求項４において、前記補助演出装置は、前記遊技盤に設けられるセンター役物、前記遊技盤の裏側に取り付けられる裏樋及び前記遊技機本体内に設置されるセット盤のうちいずれか１つに固定されていること。
【００８７】
（９）遊技盤に対して回転可能に配置され、複数種類の図柄を変動または停止させて表示可能な図柄表示装置と、前記遊技盤あるいは前記遊技盤が固定される遊技機本体に固定配置され、前記図柄表示装置を表示制御するための制御信号を出力する図柄制御装置とを備えた遊技機であって、少なくとも前記制御信号を前記図柄制御装置から回転中の前記図柄表示装置にも送信可能な電気経路を設け、前記電気経路を前記図柄表示装置の回転中心近傍に配置したことを特徴とする遊技機。
【００８８】
（１０）正面視で略矩形状をなし、複数種類の図柄を変動または停止させて表示可能な図柄表示装置と、前記図柄表示装置の前側に配置され、正面視で前記図柄表示装置と略同一の形状をなす窓部を有するセンター役物とを備え、前記図柄表示装置が前記センター役物に対して回転可能に配置される遊技機であって、前記図柄表示装置の回転位置に応じて前記窓部を介して視認可能または視認不能となる補助演出装置を、前記図柄表示装置の後側に配置したことを特徴とする遊技機。
【００８９】
（１１）技術的思想（１０）において、前記補助演出装置が遊技盤または前記センター役物に固定され、前記補助演出装置の前側に位置する前記図柄表示装置の回転に伴って、前記補助演出装置が前記窓部を介して視認可能となること。
【図面の簡単な説明】
【００９０】
【図１】本発明におけるパチンコ機を示す正面図。
【図２】パチンコ機の概略断面図。
【図３】連結コネクタなどの構成を示す概略斜視図。
【図４】固定側コネクタの要部を示す拡大平面図。
【図５】回転側コネクタの要部を示す拡大平面図。
【図６】パチンコ機における主制御基板、音声制御基板、ランプ制御基板及び図柄制御基板などを示すブロック図。
【図７】液晶式図柄表示装置が回転する前の状態を示す大型装飾部材の正面図。
【図８】液晶式図柄表示装置が回転した後の状態を示す大型装飾部材の正面図。
【図９】液晶式図柄表示装置が回転する前の状態を示す説明図。
【図１０】液晶式図柄表示装置が回転した後の状態を示す説明図。
【図１１】他の実施形態におけるパチンコ機の概略断面図。
【図１２】他の実施形態における連結コネクタなどの構成を示す概略斜視図。
【符号の説明】
【００９１】
１０…遊技機としてのパチンコ機
１３…遊技盤
２１…センター役物としての大型装飾部材
２２…窓部
３４…図柄制御装置としての図柄制御基板
４１…図柄表示装置としての液晶式図柄表示装置
４３…補助演出装置
５５…取付部としての装置取付部
６１…電気経路
６２…図柄制御装置側コネクタとしての固定側コネクタ
６３…図柄表示装置側コネクタとしての回転側コネクタ
６４…連結部材としての連結コネクタ
６５…図柄制御装置側接点としての固定側接点
６６…図柄表示装置側接点としての回転側接点
【図１】
2005329085.tif 000003
【図２】
2005329085.tif 000004
【図３】
2005329085.tif 000005
【図４】
2005329085.tif 000006
【図５】
2005329085.tif 000007
【図６】
2005329085.tif 000008
【図７】
2005329085.tif 000009
【図８】
2005329085.tif 000010
【図９】
2005329085.tif 000011
【図１０】
2005329085.tif 000012
【図１１】
2005329085.tif 000013
【図１２】
2005329085.tif 000014